(57)【特許請求の範囲】
【請求項１】
千切、間丁から綜絖を経て織前に至る経糸の綜絖より手前に、固定筬と打ち込み筬とが設けられ、
前記固定筬は前後及び上下方向に不動に固定され、当該固定筬の各筬羽の間には１本又は複数本の経糸が挿通されて、経糸の全数が当該固定筬の筬羽の間を通過しており、
前記打ち込み筬は、前記固定筬より手前に、筬框に取り付けられて設けられ、筬框と一体に前後方向に可動、かつ、筬框から独立して左右方向に可動であり、
当該打ち込み筬は下枠を有さず下端は自由端であり、経糸が開口していない時には当該下端が経糸よりも上方に位置して経糸と接さず、
前記固定筬と前記打ち込み筬との間に、前記固定筬を通過した経糸の一部を分別可能な鉤状クリップである摘取部材が設けられており、
前記摘取部材は織機本体の側面下方に結わえらえた保持糸の張力によって、弾力をもって支持されている、
手織機。
【請求項２】
前記打ち込み筬が、太さの異なる複数種類の筬羽が植設された筬である、請求項１に記載の手織機。
【請求項３】
前記摘取部材によって摘取された経糸が略下方に引かれる、請求項１又は２に記載の手織機。
【請求項４】
請求項１〜３のいずれか１項に記載の手織機によって織物を製造する方法。
【発明の詳細な説明】
【技術分野】
【０００１】
本発明は、手織機において用いられる筬及び筬框、その付属部品の構造に関する。
【背景技術】
【０００２】
伝統的な手織機（手機）では、一旦整経を行い、経糸を張ると、帯地の場合で数本から十数本程度の織物が作製される。作製される織物の長さは、緯糸の打ち込み密度や打ち込み回数で決まるため、これらを適宜選択することによって所望の長さの織物が得られる。一方、織物の幅は、経糸の本数や筬通しされた経糸の幅でほぼ決まるため、一巻の経糸から作製される織物は基本的にすべて同じ幅となる。一台の手織機で幅の異なる織物を作製する場合には、経糸を張り直し、筬框を交換するなどの大掛かりな作業が必要であった。
【０００３】
一方、機械式織機においては、筬に工夫を加えることによって幅の異なる織物を得るための試みが公知である。例えば特許文献１は、ネクタイの連続製造方法に関する発明であり、筬羽が扇形に配置された筬を用いて、経糸と垂直方向に筬を上下動させながら製織することで、織り上げ幅を変えたネクタイ生地が得られることを開示している。
【０００４】
また特許文献２には、複数の筬羽を互いに平行に配設し、これらの筬羽を平行に保持しつつその間隔を変化させることによって、経糸の間隔を変化させ、幅の変化した織物を得られることを開示している。
【０００５】
しかしながら特許文献１、２の発明ともに手織機には適用し難いものであり、また、用いる経糸の本数は不変であるため、幅の変更には限界があった。
【先行技術文献】
【特許文献】
【０００６】
【特許文献１】特開昭５３−６１４５号
【特許文献２】特開昭６３−１０５１４９号
【発明の概要】
【発明が解決しようとする課題】
【０００７】
手織機で作られる織物の幅は、例えば８寸（約３０．３ｃｍ）、９寸（約３４．１ｃｍ）、１尺（約３７．９ｃｍ）等、用途に応じて様々なものが求められる。しかしながら上述のとおり、手織機においては、整経しなおしたり筬框を交換したりすることなく幅の異なる織物を作製することはできなかった。この実情に鑑み、本発明は、一台の手織機で幅の異なる織物を簡単に作製することのできる筬及び筬框の構造を提供することを目的とする。
【課題を解決するための手段】
【０００８】
本発明者は、上記課題を解決するために検討を重ね、筬として、織物の幅を決めるための固定筬（巾出しの筬）と、緯糸の打ち込みを行うための打ち込み筬との２つの筬を用いることに想到した。さらに、固定筬と打ち込み筬との間に、使用しない経糸を分別して除けるための摘取部材を設けることによって、一巻の経糸から幅の異なる織物を効率よく作製することが可能であるとともに、緯糸の打ち込みを確実に行えることを見出し、本発明に想到した。
【０００９】
すなわち本発明は、手織機において、千切、間丁から綜絖を経て織前に至る経糸の綜絖より手前に、固定筬と打ち込み筬とが設けられ、
前記固定筬は前後及び上下方向に不動に固定され、当該固定筬の各筬羽の間には１本又は複数本の経糸が挿通されて、経糸の全数が当該固定筬の筬羽の間を通過しており、
前記打ち込み筬は、前記固定筬より手前に、筬框に取り付けられて設けられ、筬框と一体に前後方向に可動であり、また、
当該打ち込み筬は下枠を有さず下端は自由端であり、経糸が開口していない時には当該下端が経糸よりも上方に位置して経糸と接しない、
手織機の筬の構造に関する。
【００１０】
前記打ち込み筬は、筬框から独立して左右方向に可動であることが好ましい。また当該打ち込み筬は、太さの異なる複数種類の筬羽が植設された筬であることが好ましい。
【００１１】
また、前記固定筬と前記打ち込み筬との間に、前記固定筬を通過した経糸の一部を分別可能である摘取部材が設けられることが好ましく、また、前記摘取部材は、張られた経糸の右端又は左端から所望の本数を分別可能な鉤状クリップであることがより好ましい。
【００１２】
さらに、前記摘取部材によって摘取された経糸が略下方に引かれるようになっていることが好ましい。
【００１３】
さらに本発明は、上記のいずれかに記載の筬の構造を有する、手織機に関する。また本発明は、当該手織機によって織物を製造する方法に関する。
【発明の効果】
【００１４】
本発明によれば、緯糸を打ち込むための打ち込み筬の後ろに、別途、経糸を安定させ、織物の幅を略決定するための固定筬（巾出しの筬）が設けられており、さらに、使用しない経糸を固定筬の近傍で分別することによって織り込む経糸の本数を増減し、幅の異なる織物を作製することが可能である。本発明によれば、経糸を張り直したり筬框の全体を取り換えたりすることなく、幅の異なる織物を得ることができる。また、打ち込み筬は下端が自由端であり、筬框から独立して左右に可動であるため、打ち込み筬を左右に移動させながら織成することによって、経糸が蛇行し「よろけ」が生じた、「よろけ織」といわれる独特の興趣を有する織物を得ることができる。
【図面の簡単な説明】
【００１５】
【図１】本発明の手織機の構造を示す模式図である。
【図２】本発明に用いられる筬框の全体を示す。
【図３】図２の筬框の一部拡大図である。
【図４】本発明に用いられる固定筬と摘取部材を示す。
【図５】固定筬と摘取部材の拡大図である。
【図６】経糸が開口していない状態での本発明に用いられる打ち込み筬を示す。
【図７】経糸が開口した状態での本発明に用いられる打ち込み筬、及び杼を示す。
【発明を実施するための形態】
【００１６】
以下、図面を参照しながら本発明について説明するが、本発明は図面に示された例に制限されるものではない。なお本明細書において、「前」或いは「手前」とは織手が織機に向かった状態で織手に近い方向を意味し、「後」、「後ろ」とは織手から遠い方向を意味する。また左右とは織手からみた左、右をそれぞれ意味する。上下とは鉛直方向の上方向或いは下方向を意味する。
【００１７】
図１は本発明の手織機の構造を示す模式図である。整経された経糸１０は千切１に巻き付けられており、織り進むにしたがって千切１から経糸１０が繰り出される。経糸１０は間丁２を経て複数枚の綜絖３を通り、続いて固定筬４に挿通されている。図１では簡略化のため２枚の綜絖３が図示されているが、実際にはより多数、例えば８枚の綜絖が使用される。固定筬４の手前に打ち込み筬５が位置し、織前９に緯糸を打ち込めるようになっている。織成された織物は千巻８に順次、巻き取られる。織前９では、織り上げられた織物に機張り（不図示）が固定され、織物の巾を維持している。
【００１８】
固定筬４は手織機のいずれかの位置に取り付けられた支柱によって支持されており、織りを行う時に前後左右に動かないよう固定されている。但し、位置調整のために上下及び／又は前後に動かせるようになっていてもよい。固定筬４は、四方を囲繞する金属枠の中に多数の筬羽が一定間隔で植設された筬であり、各筬羽の間に１本又は複数本の経糸が挿通されている。経糸１０の全数が固定筬４に挿通されており、固定筬４は経糸１０を安定させるとともに織物の幅を略決定する（巾出しという）。固定筬４は織り上げられる織物の最大の幅よりも大きな幅を有する。
【００１９】
打ち込み筬５は、框６に取り付けられている。打ち込み筬５の下端は枠を有さず、打ち込み筬５の下端は自由端となっている。打ち込み筬５の下部には、打ち込み筬５から離間して筬框の下枠７が位置している。打ち込み筬５は框６に取り付けられており、框６、下枠７と一体に前後方向に可動である。
【００２０】
経糸が開口していない状態（図１（１））では、打ち込み筬５の下端が経糸１０よりも上方に位置し、打ち込み筬５と経糸１０とは互いに接していない。また、経糸１０は筬框の下枠７の上面に軽く接している。
続いて、綜絖３を上下に動かして経糸１０を開口させる（図１（２））。経糸１０が開口すると、持ち上げられた経糸と打ち込み筬５とが接し、打ち込み筬５の筬羽の間に持ち上げられた経糸１０が入る。この状態で、筬框の下枠７の上面に沿って杼が飛ばされ、経糸の開口部（杼道）に緯糸１１が通される。
次いで、框６と一体に打ち込み筬５を手前に引くことで、緯糸１１が織物に打ち込まれる（図１（３））。これらを繰り返すことによって、緯糸が順次打ち込まれて織物が織り上げられていく。
【００２１】
図２は本発明に用いられる筬框の全体を示す。筬框２１は、左右の腕木２２によって織機本体に支持される。織成を行う時には、織機本体に支持された筬框２１の全体を手前に引くことによって筬框２１と一体に打ち込み筬５を動かし、緯糸の打ち込みを行う。筬框の下枠７の左右端には杼箱２３が設けられ、杼箱２３には杼が収容されている。杼は滑車２５を介して紐２４の先端の取手と連結されており、紐２４を引くと杼が飛び、開口した経糸の間に緯糸が入るようになっている。
【００２２】
打ち込み筬５は基板２６を介して筬の基台２７に取り付けられている。基台２７にはピン溝２８が設けられ、ピン溝２８からハンドル２９が突出している。ハンドル２９は基台２７の内部で打ち込み筬５と連結されており、ハンドル２９と打ち込み筬５とは連動する。つまり、ハンドル２９を左右に動かすことによって、基台２７から独立して打ち込み筬５が左右に動く。
【００２３】
図３は図２の筬框の拡大図である。打ち込み筬５の下端には枠が無く、各筬羽の下部は自由端である。また打ち込み筬５の下端と下枠７との間は所定の間隔Ｗで離間している。間隔Ｗは、経糸の開口の程度が適切になるように適宜設定すればよいが概ね４０ｍｍ〜６０ｍｍ程度、好ましくは４５ｍｍ〜５５ｍｍとすることができる。ピン溝２８には、ハンドル２９を動かすときの目安として目盛り３０が印されている。ハンドル２９は手動で左右に動かせばよいが、ギア等を用いて半自動的に動く構成としてもよい。
【００２４】
打ち込み筬５には複数の筬羽が植設されているが、各筬羽の間隔は全て同じではなく、一定の区画ごとに異なる間隔をもって植設されてもよい。また筬羽の大きさは一定ではなく、他の筬羽よりも幅の広い、大きな筬羽がランダムに配置されている。打ち込み筬５の筬羽の数は、固定筬４の筬羽よりも少なく、例えば打ち込み筬５の幅が約４２ｃｍであるとき、筬羽の数は１００本〜１５０本程度とすることができる。筬羽の植設間隔が一定ではなく、複数種類の筬羽が植設された筬は特許１９８８３６１号、特許５５８２６６１号に詳細に説明されており、これらの特許公報に開示された筬をいずれも打ち込み筬５として好ましく用いることができる。これらの筬を左右に動かしながら織成することで、経糸が蛇行した「よろけ織」の織物を効率的に作製することができる。
【００２５】
図４は綜絖３から打ち込み筬５が備えられた框６までの間を示している。固定筬４と、打ち込み筬５の備えられた框６との間に、経糸１０の一部を分別する摘取部材４１が設けられている。摘取部材４１によって経糸１０の左端より一部が分別されている。分別された経糸１０Ａは、織成に供される経糸と分けられ、ひとまとまりにされてわずかに略下方に引かれているため、開口せず、織物に織り込まれることがない。すなわち、摘取部材４１で分別する経糸の量（本数）を変更することで、織り上げる織物の幅を容易に変更することが可能である。
【００２６】
図５は固定筬４と摘取部材４１の拡大図である。固定筬４は下方から支持されて織機本体に取り付けられており、不動である。摘取部材４１は金属製の鉤状クリップであり、任意の本数の経糸を容易に分別することができる。また摘取部材４１は織機本体の側面下方に結わえられた保持糸４２の張力で保持されている。このため摘取部材４１は分別された経糸１０Ａを略下方に引くことができると同時に、保持糸４２の弾力によって若干の弾力をもって支持されており、分別された経糸に過度の張力がかかることを防止し、分別された経糸１０Ａの切れを抑制することができる。
【００２７】
図６は、経糸が開口していない状態での、経糸１０と打ち込み筬５との位置関係を示す。経糸１０及び分別された経糸１０Ａのいずれも、筬框の下枠７の上面に接し、かつ、打ち込み筬５の下端よりも下方に位置している。この時、経糸１０、１０Ａと打ち込み筬５の下端とは約５０ｍｍ離間している。
【００２８】
図７は、経糸が開口した状態での、経糸１０と打ち込み筬５との位置関係を示す。経糸のうち、分別された経糸１０Ａは摘取部材４１によって押さえられているため開口しない。一方、織に供される経糸１０は一部が持ち上げられて杼道が開いている。持ち上げられた経糸はそれぞれ複数本ずつ打ち込み筬５の筬羽の間に入っている。杼７１は経糸１０Ａの上を通過し、杼道を通って経糸１０に緯糸を送り込めるようになっている。
【００２９】
杼７１によって緯糸を送り込んだ後、筬框全体を手前に引くと、打ち込み筬５によって緯糸が打ち込まれる。筬框を引き、織前に緯糸を打ち込む状態では、経糸１０が打ち込み筬５の筬羽の間に入っている。何度か緯糸を打ち込んだ後に、打ち込み筬５を任意に左右に動かすことによって、経糸１０に対する打ち込み筬５の左右位置が変化する。つまり、経糸１０に対する、打ち込み筬５の筬羽の間隔や大きな筬羽の位置が変化することによって、経糸を蛇行させ、「よろけ織」として知られる織物を織成することができる。
【００３０】
上記のとおり本発明は、固定筬と打ち込み筬という２種類の筬を別々に設置することによって、所望の織物の幅に合わせて経糸の本数を増減し、経糸の張り替えをすることなく異なる幅の織物を作製することができる。例えば、一台の機で、経糸や筬框を取り換えることなく８寸から９寸までの任意の幅の織物を作製することができる。また、打ち込み筬として上述の筬を用いることで、効率的によろけ織の織物を作製することができるものである。
【符号の説明】
【００３１】
１  千切
２  間丁
３  綜絖
４  固定筬
５  打ち込み筬
６  框
７  下枠
８  千巻
９  織前
１０、１０Ａ  経糸
１１  緯糸
２１  筬框
２２  腕木
２３  杼箱
２４  紐
２５  滑車
２６  基板
２７  基台
２８  ピン溝
２９  ハンドル
３０  目盛り
４１  摘取部材
４２  保持糸
７１  杼
【図１】
0005954882.tif 000002
【図２】
0005954882.tif 000003
【図３】
0005954882.tif 000004
【図４】
0005954882.tif 000005
【図５】
0005954882.tif 000006
【図６】
0005954882.tif 000007
【図７】
0005954882.tif 000008